(57)【要約】【課題】  小型化を確保した上で塵埃の侵入の防止を図る。【解決手段】  筐体２の挿入口６ａに対する記録媒体カートリッジ１００の非挿入時に挿入口を閉塞する閉塞位置に保持され挿入口に対する記録媒体カートリッジの挿入時に挿入口を開放する開放位置に回動されて保持される回動扉２１と、該回動扉が閉塞位置に保持された状態において筐体の挿入口から退避した退避位置に保持され回動扉が開放位置に保持された状態において筐体の挿入口を閉塞する閉じ位置に移動される補助扉４３と、該補助扉を退避位置と閉じ位置との間で移動させる扉開閉機構６０とを設けた。【選択図】図１７
2006236507.tif 000002
【特許請求の範囲】
【請求項１】
ケース体内に記録媒体が収納されて成る記録媒体カートリッジを挿入する挿入口が形成された筐体と、記録媒体カートリッジの記録媒体に対して情報信号の記録若しくは再生又はこれらの双方を行う記録再生部と、記録媒体カートリッジが挿入されて該記録媒体カートリッジを保持すると共に記録媒体カートリッジの挿入又は取出が可能な第１の位置と保持した記録媒体カートリッジに対する記録再生部による記録又は再生が可能な第２の位置との間で移動可能なホルダーと、該ホルダーを上記第１の位置と第２の位置との間で移動自在に支持するフレームシャーシと、ホルダーを第１の位置と第２の位置との間で移動させる移動機構と、該移動機構の駆動源となる駆動手段とを備えた記録媒体ドライブ装置であって、
筐体の挿入口に対する記録媒体カートリッジの非挿入時に挿入口を閉塞する閉塞位置に保持され挿入口に対する記録媒体カートリッジの挿入時に挿入口を開放する開放位置に回動されて保持される回動扉と、
該回動扉が閉塞位置に保持された状態において筐体の挿入口から退避した退避位置に保持され回動扉が開放位置に保持された状態において筐体の挿入口を閉塞する閉じ位置に移動される補助扉と、
該補助扉を退避位置と閉じ位置との間で移動させる扉開閉機構とを備えた
ことを特徴とする記録媒体ドライブ装置。
【請求項２】
上記扉開閉機構に、
カム部を有し上記移動機構の動作に伴って移動されるスライドカムと、
上記補助扉を支持すると共に上記カム部に摺接されスライドカムの移動によって回動される連結リンクと、
上記スライドカムをスライド自在に支持すると共に上記連結リンクを回動自在に支持する支持ベースとを設けた
ことを特徴とする請求項１に記載の記録媒体ドライブ装置。
【請求項３】
上記連結リンクに、
上記支持ベースに回動自在に支持された支持アームと、
該支持ベースに対する支持アームの回動支点と同じ回動支点で支持ベース及び支持アームに回動自在に支持された回動アームと、
該回動アームにスライド自在に支持されたアームスライダーと、
該アームスライダーに支持されると共に上記補助扉を支持する支持ブラケットと、
支持アームとアームスライダーを連結する連結バネとを設け、
上記支持ベースに、補助扉が退避位置から閉じ位置へ向けて移動されたときに回動アームの回動を規制する規制部を設け、
該規制部によって回動アームの回動が規制された状態において、支持アームの回動アームに対する回動により連結バネを介してアームスライダーを押圧し該アームスライダーを回動アームに対してスライドさせ補助扉を挿入口の開口縁に押し付けるようにした
ことを特徴とする請求項２に記載の記録媒体ドライブ装置。
【請求項４】
上記支持ベースに回動自在に支持される回動軸部と回動扉を回動可能に支持する支持軸部とを有する扉支持アームを設け、
該扉支持アームを介して支持ベースに回動扉を回動自在に支持し、
扉支持アームを支持ベースに対する回動扉の回動軸方向に離隔して複数設けた
ことを特徴とする請求項１に記載の記録媒体ドライブ装置。
【請求項５】
上記扉支持アームの支持軸部を支持ベースに対する回動扉の回動軸方向に離隔して複数設けた
ことを特徴とする請求項４に記載の記録媒体ドライブ装置。
【請求項６】
上記支持ブラケットに取り付けられる被取付部と上記補助扉を回動可能に支持する支持ピンとを有する扉支持体を設け、
該扉支持体を介して支持ブラケットに補助扉を取り付け該補助扉を支持ブラケットに対して回動可能とし、
上記扉支持体を支持ブラケットに対する補助扉の回動軸方向に離隔して複数設けた
ことを特徴とする請求項１に記載の記録媒体ドライブ装置。
【請求項７】
上記扉支持体の支持ピンを支持ブラケットに対する補助扉の回動軸方向に離隔して複数設けた
ことを特徴とする請求項６に記載の記録媒体ドライブ装置。
【請求項８】
ケース体内に記録媒体が収納されて成る記録媒体カートリッジが挿入される挿入口を開閉する扉の開閉構造であって、
挿入口に対する記録媒体カートリッジの非挿入時に挿入口を閉塞する閉塞位置に保持され挿入口に対する記録媒体カートリッジの挿入時に挿入口を開放する開放位置に回動されて保持される回動扉と、
該回動扉が閉塞位置に保持された状態において筐体の挿入口から退避した退避位置に保持され回動扉が開放位置に保持された状態において筐体の挿入口を閉塞する閉じ位置に移動される補助扉と、
該補助扉を退避位置と閉じ位置との間で移動させる扉開閉機構とを備えた
ことを特徴とする扉の開閉構造。
【発明の詳細な説明】
【技術分野】
【０００１】
本発明は記録媒体ドライブ装置及び扉の開閉構造についての技術分野に関する。詳しくは、記録媒体カートリッジが挿入される挿入口を回動扉と補助扉とによって選択的に開閉し、小型化を確保した上で塵埃の侵入の防止を図る技術分野に関する。
【背景技術】
【０００２】
ケース体内に記録媒体、例えば、ディスク状記録媒体が回転可能に収納されて成る記録媒体カートリッジの記録媒体に対して、情報信号の記録若しくは再生又はこれらの双方を行う記録媒体ドライブ装置がある。
【０００３】
このような記録媒体ドライブ装置には、記録媒体カートリッジを挿入する挿入口が形成され、該挿入口が回動可能な扉によって開閉されるものがある（例えば、特許文献１参照）。扉が挿入口を閉塞することにより、挿入口からの記録媒体ドライブ装置の内部への塵埃の侵入が防止される。
【０００４】
扉は記録媒体ドライブ装置の筐体の内部において回動可能とされ、例えば、捩じりコイルバネによって挿入口を閉塞する方向へ付勢されている。挿入口から記録媒体カートリッジが挿入されると、記録媒体カートリッジによって扉が押圧され捩じりコイルバネの付勢力に抗して回動されて開放される。
【０００５】
【特許文献１】特開２００３−１３２６６５号公報
【発明の開示】
【発明が解決しようとする課題】
【０００６】
ところで、上記のような記録媒体ドライブ装置にあっては、図１８に示すように、記録媒体カートリッジｘの筐体ａ内への非挿入時に加え、記録媒体カートリッジｘの筐体ａ内への挿入時においても扉ｂによって挿入口ｃを閉塞することが望ましい。記録媒体カートリッジｘの非挿入時及び挿入時ともに扉ｂによって挿入口ｃを挿入することにより、筐体ａ内への塵埃の侵入量を低減することができる。
【０００７】
ところが、記録媒体カートリッジｘの筐体ａ内への挿入時においても挿入口ｃを扉ｂによって閉塞しようとすると、記録媒体カートリッジｘの挿入に伴って回動された扉ｂを閉塞位置に戻すためのスペースＳ（図１８参照）が必要となり、その分、記録媒体カートリッジｘを筐体ａの奥側まで挿入しなければならず、記録媒体ドライブ装置がスペースＳを必要とする分だけ大型になってしまう。
【０００８】
一方、記録媒体ドライブ装置の大型化を回避するためにスペースＳを形成しない構成にすると、回動された扉ｂが記録媒体カートリッジｘ上に載置され、挿入口ｃが開放されたままの状態となってしまう（図１９参照）。従って、記録媒体カートリッジｘの非挿入時には筐体ａ内への塵埃の侵入は防止できるが、記録媒体カートリッジｘの挿入時には筐体ａ内への塵埃の侵入を防止することができない。
【０００９】
特に、記録媒体の中でも、近年、使用頻度の高くなっているブルーレイディスク等の記録密度の高い記録媒体にあっては、他の記録密度の低い記録媒体と比較して、塵埃の付着による情報信号の記録エラーや再生エラーを引き起こすおそれが高く、このような記録密度の高い記録媒体を使用する記録媒体ドライブ装置においては、塵埃の侵入を可能な限り防止することが必要不可欠とされている。
【００１０】
そこで、本発明記録媒体ドライブ装置及び扉の開閉構造は、上記した問題点を克服し、小型化を確保した上で塵埃の侵入の防止を図ることを課題とする。
【課題を解決するための手段】
【００１１】
本発明記録媒体ドライブ装置は、上記した課題を解決するために、筐体の挿入口に対する記録媒体カートリッジの非挿入時に挿入口を閉塞する閉塞位置に保持され挿入口に対する記録媒体カートリッジの挿入時に挿入口を開放する開放位置に回動されて保持される回動扉と、該回動扉が閉塞位置に保持された状態において筐体の挿入口から退避した退避位置に保持され回動扉が開放位置に保持された状態において筐体の挿入口を閉塞する閉じ位置に移動される補助扉と、該補助扉を退避位置と閉じ位置との間で移動させる扉開閉機構とを設けたものである。
【００１２】
本発明扉の開閉構造は、上記した課題を解決するために、挿入口に対する記録媒体カートリッジの非挿入時に挿入口を閉塞する閉塞位置に保持され挿入口に対する記録媒体カートリッジの挿入時に挿入口を開放する開放位置に回動されて保持される回動扉と、該回動扉が閉塞位置に保持された状態において筐体の挿入口から退避した退避位置に保持され回動扉が開放位置に保持された状態において筐体の挿入口を閉塞する閉じ位置に移動される補助扉と、該補助扉を退避位置と閉じ位置との間で移動させる扉開閉機構とを設けたものである。
【００１３】
従って、本発明記録媒体ドライブ装置及び扉の開閉構造にあっては、回動扉が閉塞位置にあるときに補助扉が退避位置にあると共に回動扉が開放位置にあるときに補助扉が閉じ位置にある。
【発明の効果】
【００１４】
本発明記録媒体ドライブ装置は、ケース体内に記録媒体が収納されて成る記録媒体カートリッジを挿入する挿入口が形成された筐体と、記録媒体カートリッジの記録媒体に対して情報信号の記録若しくは再生又はこれらの双方を行う記録再生部と、記録媒体カートリッジが挿入されて該記録媒体カートリッジを保持すると共に記録媒体カートリッジの挿入又は取出が可能な第１の位置と保持した記録媒体カートリッジに対する記録再生部による記録又は再生が可能な第２の位置との間で移動可能なホルダーと、該ホルダーを上記第１の位置と第２の位置との間で移動自在に支持するフレームシャーシと、ホルダーを第１の位置と第２の位置との間で移動させる移動機構と、該移動機構の駆動源となる駆動手段とを備えた記録媒体ドライブ装置であって、筐体の挿入口に対する記録媒体カートリッジの非挿入時に挿入口を閉塞する閉塞位置に保持され挿入口に対する記録媒体カートリッジの挿入時に挿入口を開放する開放位置に回動されて保持される回動扉と、該回動扉が閉塞位置に保持された状態において筐体の挿入口から退避した退避位置に保持され回動扉が開放位置に保持された状態において筐体の挿入口を閉塞する閉じ位置に移動される補助扉と、該補助扉を退避位置と閉じ位置との間で移動させる扉開閉機構とを備えたことを特徴とする。
【００１５】
従って、記録媒体カートリッジが筐体に挿入されたときに該筐体の内部に回動扉を閉塞位置まで回動させるためのスペースを必要とせず、記録媒体ドライブ装置の小型化を確保した上で挿入口からの塵埃の侵入を防止することができる。
【００１６】
請求項２に記載した発明にあっては、上記扉開閉機構に、カム部を有し上記移動機構の動作に伴って移動されるスライドカムと、上記補助扉を支持すると共に上記カム部に摺接されスライドカムの移動によって回動される連結リンクと、上記スライドカムをスライド自在に支持すると共に上記連結リンクを回動自在に支持する支持ベースとを設けたので、扉開閉機構が移動機構の動作に伴って動作されるため、扉開閉機構を動作させるための専用のモーター等を必要とせず、機構の簡素化及び部品点数の削減によるコストの低減を図ることができる。
【００１７】
請求項３に記載した発明にあっては、上記連結リンクに、上記支持ベースに回動自在に支持された支持アームと、該支持ベースに対する支持アームの回動支点と同じ回動支点で支持ベース及び支持アームに回動自在に支持された回動アームと、該回動アームにスライド自在に支持されたアームスライダーと、該アームスライダーに支持されると共に上記補助扉を支持する支持ブラケットと、支持アームとアームスライダーを連結する連結バネとを設け、上記支持ベースに、補助扉が退避位置から閉じ位置へ向けて移動されたときに回動アームの回動を規制する規制部を設け、該規制部によって回動アームの回動が規制された状態において、支持アームの回動アームに対する回動により連結バネを介してアームスライダーを押圧し該アームスライダーを回動アームに対してスライドさせ補助扉を挿入口の開口縁に押し付けるようにしたので、挿入口の開口縁に必要以上に負荷がかかることがなく補助扉が押し付けられ、補助扉の損傷や破壊を防止することができる。
【００１８】
請求項４に記載した発明にあっては、上記支持ベースに回動自在に支持される回動軸部と回動扉を回動可能に支持する支持軸部とを有する扉支持アームを設け、該扉支持アームを介して支持ベースに回動扉を回動自在に支持し、扉支持アームを支持ベースに対する回動扉の回動軸方向に離隔して複数設けたので、回動扉に反りが生じたとしても、生じた反りに追従して回動扉が挿入口を閉塞させることができる。
【００１９】
請求項５に記載した発明にあっては、上記扉支持アームの支持軸部を支持ベースに対する回動扉の回動軸方向に離隔して複数設けたので、挿入口の開口縁に対する回動扉の密着性が高く、挿入口の閉塞性を向上することができる。
【００２０】
請求項６に記載した発明にあっては、上記支持ブラケットに取り付けられる被取付部と上記補助扉を回動可能に支持する支持ピンとを有する扉支持体を設け、該扉支持体を介して支持ブラケットに補助扉を取り付け該補助扉を支持ブラケットに対して回動可能とし、上記扉支持体を支持ブラケットに対する補助扉の回動軸方向に離隔して複数設けたので、補助扉に反りが生じたとしても、生じた反りに追従して補助扉が挿入口を閉塞させることができる。
【００２１】
請求項７に記載した発明にあっては、上記扉支持体の支持ピンを支持ブラケットに対する補助扉の回動軸方向に離隔して複数設けたので、挿入口の開口縁に対する回動扉の密着性が高く、挿入口の閉塞性を向上することができる。
【００２２】
本発明扉の開閉構造は、ケース体内に記録媒体が収納されて成る記録媒体カートリッジが挿入される挿入口を開閉する扉の開閉構造であって、挿入口に対する記録媒体カートリッジの非挿入時に挿入口を閉塞する閉塞位置に保持され挿入口に対する記録媒体カートリッジの挿入時に挿入口を開放する開放位置に回動されて保持される回動扉と、該回動扉が閉塞位置に保持された状態において筐体の挿入口から退避した退避位置に保持され回動扉が開放位置に保持された状態において筐体の挿入口を閉塞する閉じ位置に移動される補助扉と、該補助扉を退避位置と閉じ位置との間で移動させる扉開閉機構とを備えたことを特徴とする。
【００２３】
従って、記録媒体カートリッジが挿入されたときに内部に回動扉を閉塞位置まで回動させるためのスペースを必要とせず、扉の開閉構造が設けられる装置の小型化を確保した上で挿入口からの塵埃の侵入を防止することができる。
【発明を実施するための最良の形態】
【００２４】
以下に、本発明記録媒体ドライブ装置及び扉の開閉構造の最良の形態を添付図面に従って説明する。以下に示した最良の形態は、本発明記録媒体ドライブ装置を記録媒体としてディスク状記録媒体を有するディスクカートリッジが使用されるディスクドライブ装置に適用し、本発明扉の開閉構造をディスクドライブ装置に設けられた構造に適用したものである。
【００２５】
尚、本発明記録媒体ドライブ装置及び扉の開閉構造の適用範囲は、ディスクドライブ装置及びこれに設けられる扉の開閉構造に限られることはなく、本発明記録媒体ドライブ装置は、テープカセットや半導体メモリー等の情報信号の記録又は再生を行うことができる各種の記録媒体を扱うドライブ装置に広く適用することができ、本発明扉の開閉構造は、これらのドライブ装置に設けられる構造に広く適用することができる。
【００２６】
ディスクドライブ装置１は筐体２内に所定の各部が配置されて成る（図１及び図２参照）。筐体２は上方及び前方に開口された箱状を為すケースシャーシ３と該ケースシャーシ３の上面を閉塞するトッププレート４とを有している。ケースシャーシ３の前端部の内面側には上方を向く載置面部３ａが形成されている（図３及び図４参照）。
【００２７】
ケースシャーシ３の前端部にはフロントパネル５が取り付けられ、該フロントパネル５によってケースシャーシ３の前面側の開口が閉塞されている（図１及び図２参照）。フロントパネル５には前後に貫通された横長の配置孔５ａが形成されている。
【００２８】
ケースシャーシ３の前端部には開口パネル６が取り付けられ、該開口パネル６はフロントパネル５の配置孔５ａに配置される。開口パネル６には横長の挿入口６ａが形成され、該挿入口６ａは、その前側開口縁から後側開口縁へ近付くに従って開口面積が漸次小さくなるように形成されている（図３参照）。
【００２９】
筐体２の内部にはフレームシャーシ７が配置されている（図２及び図３参照）。フレームシャーシ７は天面部８と該天面部８の左右両側縁から垂設された側面部９、９とから成り、該側面部９、９にはそれぞれ前後に離隔して案内孔１０、１０、・・・が形成されている。案内孔１０、１０・・・は、それぞれ前後に延びる水平部１０ａ、１０ａ、・・・と該水平部１０ａ、１０ａ、・・・の後端部から下方へ延びる垂直部１０ｂ、１０ｂ、・・・とから成る。
【００３０】
フレームシャーシ７には、その内部においてホルダー１１が前後方向及び上下方向へ移動自在に支持されている。ホルダー１１には側方へ突出された被案内軸部１１ａ、１１ａ、・・・が形成され、該被案内軸部１１ａ、１１ａ、・・・がそれぞれ案内孔１０、１０、・・・に内側から挿入されて摺動自在に支持されている。被案内軸部１１ａ、１１ａ、・・・は、その先端部が案内孔１０、１０、・・・から外方へ突出されている。
【００３１】
フレームシャーシ７の側面部９、９の外面側には、それぞれ前後方向へ移動可能とされたラックスライダー１２、１２が配置されている。ラックスライダー１２、１２にはそれぞれ前後に離隔してカム孔１３、１３、・・・が形成されている。カム孔１３、１３、・・・は、それぞれ上側保持部１３ａ、１３ａ・・・と該上側保持部１３ａ、１３ａ・・・から前方へ行くに従って下方へ変位するように傾斜する傾斜部１３ｂ、１３ｂ、・・・と該傾斜部１３ｂ、１３ｂ、・・・の下端に連続する下側保持部１３ｃ、１３ｃ、・・・とから成る。カム孔１３、１３、・・・には、それぞれホルダー１１の被案内軸部１１ａ、１１ａ、・・・が摺動自在に係合される。ラックスライダー１２、１２の下端部にはそれぞれラック部１２ａ、１２ａが設けられている。
【００３２】
筐体２の内部には、複数のギヤ等を有しホルダー１１を移動させるための図示しない移動機構及び該移動機構の駆動源となる図示しない駆動モーター等が配置され、移動機構の所定のギヤがそれぞれラックスライダー１２、１２のラック部１２ａ、１２ａに噛合されている。従って、駆動モーターが回転されると、その回転方向に応じて上記所定のギヤが回転され、ラック部１２ａ、１２ａが送られてラックスライダー１２、１２が前方又は後方へ同期して移動される。ラックスライダー１２、１２が前後方向へ移動されると、ホルダー１１は被案内軸部１１ａ、１１ａ、・・・がフレームシャーシ７の案内孔１０、１０、・・・及びラックスライダー１２、１２のカム孔１３、１３、・・・に案内されて前後又は上下へ移動される。
【００３３】
ラックスライダー１２、１２にはスライドカム１４が取り付けられている（図２乃至図４参照）。スライドカム１４は左右に長い連結部１４ａと該連結部１４ａの左右両側縁からそれぞれ垂設された被取付部１４ｂ、１４ｂとを有し、被取付部１４ｂ、１４ｂの上端部にそれぞれカム部１５、１５が設けられている。カム部１５、１５は被取付部１４ｂ、１４ｂからそれぞれ外方へ突出されている。
【００３４】
スライドカム１４、１４は、それぞれ被取付部１４ｂ、１４ｂがラックスライダー１２、１２の外面に取り付けられており、該ラックスライダー１２、１２と一体となって前後方向へ移動される。
【００３５】
筐体２のケースシャーシ３には支持ベース１６が取り付けられている。支持ベース１６は、図５に示すように、左右に長い橋渡し部１７と、該橋渡し部１７の左右両端部からそれぞれ後方へ突出された腕部１８、１８と、該腕部１８、１８の後端部からそれぞれ垂設された支持面部１９、１９と、腕部１８、１８の後端部からそれぞれ外方へ突出された被取付片部２０、２０とを有している。
【００３６】
橋渡部１７の下面の左右両端部には、それぞれ下方へ突出された作用リブ１７ａ、１７ａが設けられている。腕部１８、１８の下面は、それぞれスライドカム１４のカム部１５、１５が摺接されるカム摺接面１８ａ、１８ａとして形成されている。腕部１８、１８の前端部には、それぞれ下方へ突出された部分が設けられ、この部分が規制部１８ｂ、１８ｂとされている。
【００３７】
支持ベース１６は被取付片部２０、２０が筐体２のケースシャーシ３に取り付けられる。
【００３８】
支持ベース１６の橋渡し部１７の下面には回動扉２１が回動自在に支持される。回動扉２１は横長の略矩形の板状に形成され、扉支持アーム２２、２２を介して橋渡し部１７に支持されている。
【００３９】
回動扉２１の背面側には、図６に示すように、左右に離隔して４つの被支持リブ２１ａ、２１ａ、・・・が設けられ、外側に位置する２つの被支持リブ２１ａ、２１ａにそれぞれ第１の被支持孔２１ｂ、２１ｂが形成され、内側に位置する２つの被支持リブ２１ａ、２１ａにそれぞれ第２の被支持孔２１ｃ、２１ｃが形成されている。内側に位置する第２の被支持孔２１ｃ、２１ｃは、外側に位置する第１の被支持孔２１ｂ、２１ｂより径が僅かに大きくされている（図７参照）。
【００４０】
扉支持アーム２２は、例えば、板状の樹脂材料によって形成され、左右に長い基部２３と、該基部２３の長手方向における両端寄りの位置から直交する方向へ突出された被支持片部２４、２４と、基部２３の長手方向における両端部から支持片部２４、２４と反対方向へ突出された支持突部２５、２５とから成る。被支持片部２４、２４にはそれぞれ互いに反対側へ突出された回動軸部２４ａ、２４ａが設けられ、支持突部２５、２５にはそれぞれ互いに反対側へ突出された支持軸部２５ａ、２５ａが設けられている。
【００４１】
扉支持アーム２２、２２は、それぞれ左右に離隔した状態で、回動軸部２４ａ、２４ａ、・・・が支持ベース１６の橋渡部１７に回動自在に支持され、支持軸部２５ａ、２５ａ、・・・が第１の被支持孔２１ｂ、２１ｂ及び第２の被支持孔２１ｃ、２１ｃに挿入されて回動扉２１を回動自在に支持する。扉支持アーム２２、２２は基部２３、２３及び支持突部２５、２５、・・・が被支持リブ２１ａ、２１ａ、・・・間に位置される。扉支持アーム２２、２２が橋渡部１７に回動自在に支持された状態において、回動軸部２４ａ、２４ａ、・・・にそれぞれ捩じりコイルバネ２６、２６が支持される。
【００４２】
回動扉２１は開口パネル６の背面側に位置され、捩じりコイルバネ２６、２６によって開口パネル６の挿入口６ａを閉塞する方向へ付勢される。従って、回動扉２１は、その前面の外周部が開口パネル６の背面に接した状態で挿入口６ａを閉塞する。
【００４３】
上記のように、回動扉２１は左右に離隔し独立した２つの扉支持アーム２２、２２によって支持ベース１６に支持されている。従って、図８に示すように、回動扉２１に上下に延びる軸Ｈを基準とした反りが生じたとしても、生じた反りに追従して回動扉２１が開口パネル６の背面に密着され挿入口６ａの良好な閉塞性を保持することによる筐体２内への塵埃等の侵入の防止を図ることができる。尚、図８は回動扉２１（後述する補助扉）が反った状態を誇張して示してある。
【００４４】
また、回動扉２１は２つの扉支持アーム２２、２２の左右に離隔して位置する合計４つの支持軸部２５ａ、２５ａ、・・・によって支持された状態で開口パネル６の背面に押し付けられているため、開口パネル６に対する密着性が高く、挿入口６ａの閉塞性を向上することができる。
【００４５】
さらに、回動扉２１は、第２の被支持孔２１ｃ、２１ｃの径が第１の被支持孔２１ｂ、２１ｂの径より大きくされているため、第２の被支持孔２１ｃ、２１ｃと扉支持アーム２２、２２の支持軸部２５ａ、２５ａとの間に一定のクリアランスが生じ（図７参照）、このクリアランス分だけ扉支持アーム２２、２２が回動扉２１に対して変位可能であり、回動扉２１に生じ得るねじれや反りを吸収して回動扉２１を開口パネル６の背面に密着させることができる。
【００４６】
加えて、扉支持アーム２２、２２は板状の樹脂材料によって形成され、弾性変形し易い材料によって弾性変形し易い形状に形成されているため、回動扉２１に生じ得るねじれや反りに追従して変形可能であり、回動扉２１の開口パネル６に対する密着性を向上させることができる。
【００４７】
支持ベース１６の支持面部１９、１９間には連結リンク５０が回動自在に支持されている（図９及び図１０参照）。連結リンク５０は、支持アーム２７、２７と回動アーム２８、２８とアームスライダー２９、２９と支持ブラケット３０によって構成されている。支持アーム２７、２７、回動アーム２８、２８及びアームスライダー２９、２９はそれぞれ左右に一対互いに連結された状態で設けられ、支持ブラケット３０は左右に位置するアームスライダー２９、２９を連結している。
【００４８】
連結リンク５０、スライドカム１４及び支持ベース１６は後述する補助扉を開閉する扉開閉機構６０を構成する。
【００４９】
支持アーム２７は支持ベース１６の支持面部１９に回動自在に支持され、横倒し略Ｕ字状に形成されている。支持アーム２７はベース部３１と該ベース部３１の上下両端部からそれぞれ略前方へ突出された第１の突部３２、第２の突部３３とから成る。支持アーム２７は第１の突部３２の先端部が支持面部１９の内面側に支持されている。
【００５０】
ベース部３１の前面には略前方へ突出された第１のバネ保持突部３１ａが設けられている。ベース面部３１の上面は、その前半部が後方へ行くに従って上方へ変位するように傾斜された傾斜カム面３１ｂとして形成され、後半部が略水平な当接面３１ｃとして形成されている。
【００５１】
下側に位置する第２の突部３３の先端面には前方へ突出された第２のバネ保持突部３３ａが設けられている。第２の突部３３には、その先端寄りの位置に略後方を向くストッパー面３３ｂが形成され、先端部に下方へ突出された規制突部３３ｃが設けられている。
【００５２】
回動アーム２８は略前後に長い延設部３４と該延設部３４の下端部から後斜め下方へ突出された突部３５とから成る。
【００５３】
延設部３４には、その先端寄りの位置に略前方へ突出されたストッパー突部３４ａが設けられ、後端寄りの位置に上方へ突出された当接突部３４ｂが設けられている。延設部３４の前端部には上方へ突出された突き当て突部３４ｃが設けられている。延設部３４には前後に離隔して、略前後に長い摺動孔３４ｄ、３４ｄが形成されている。
【００５４】
突部３５の先端部には略後方へ突出されたバネ用突部３５ａが設けられている。突部３５の先端部はストッパー部３５ｂとして設けられている。
【００５５】
回動アーム２８は延設部３４の後端部における上端部が、支持アーム２７の支持面部１９に対する回動支点と同じ回動支点において、支持面部１９の内面側に回動自在に支持されている。従って、回動アーム２８は支持面部１９及び支持アーム２７に対して独立して回動可能とされている。
【００５６】
支持アーム２７及び回動アーム２８が支持面部１９に支持された状態において、支持アーム２７の第１のバネ保持突部３１ａと回動アーム２８のバネ用突部３５ａとの間に圧縮コイルバネである保持バネ３６が保持される。従って、支持アーム２７と回動アーム２８は保持バネ３６によって互いに離隔する回動方向へ付勢される。
【００５７】
アームスライダー２９は略上下に幅広の基端部３７と該基端部３７の下端部を除く部分から略前方へ突出された支持突部３８とから成り、基端部３７の下端部には略後方へ突出された第１のバネ保持用突部３７ａが設けられ、支持突部３８の前端部には略後方へ突出された第２のバネ保持用突部３８ａが設けられている。アームスライダー２９の後端部における下端部には側方へ突出された規制用突部３７ｂが設けられている。
【００５８】
アームスライダー２９には略前後に離隔して側方へ突出された摺動突部２９ａ、２９ａが設けられている。
【００５９】
アームスライダー２９は摺動突部２９ａ、２９ａがそれぞれ摺動孔３４ｄ、３４ｄに摺動自在に係合されて回動アーム２８に略前後方向へスライド自在に支持される。
【００６０】
アームスライダー２９が回動アーム２８に支持された状態において、支持アーム２７の第２のバネ保持突部３３ａとアームスライダー２９の第１のバネ保持用突部３７ａとの間に圧縮コイルバネである連結バネ３９が保持される。従って、支持アーム２７とアームスライダー２９は連結バネ３９によって互いに離隔する方向へ付勢される。
【００６１】
支持ブラケット３０はアームスライダー２９、２９の延設部３４、３４の先端部間に回動可能に連結されている（図４参照）。
【００６２】
支持ブラケット３０は左右に長い扉取付部４０と該扉取付部４０の左右両側縁からそれぞれ後方へ突出された連結面部４１、４１とから成る。
【００６３】
扉取付部４０には左右に離隔して取付孔４０ａ、４０ａが形成されている。扉取付部４０の左右両端部における上端部には、図９及び図１０に示すように、それぞれ一部が前方へ折り曲げられることにより摺動片部４０ｂ、４０ｂが設けられている。
【００６４】
連結面部４１、４１には、それぞれ前後方向を向く段差部４１ａ、４１ａが形成されている。
【００６５】
支持ブラケット３０は連結面部４１、４１の段差部４１ａ、４１ａより前側の部分がアームスライダー２９、２９に回動自在に支持されている。
【００６６】
支持ブラケット３０がアームスライダー２９、２９に支持された状態において、アームスライダー２９、２９の第２のバネ保持用突部３８ａ、３８ａと支持ブラケット３０の段差部４１ａ、４１ａとの間にそれぞれ圧縮コイルバネである押付バネ４２、４２が保持される。従って、アームスライダー２９、２９と支持ブラケット３０は押付バネ４２、４２によって互いに離隔する方向へ付勢される。
【００６７】
支持ブラケット３０の扉取付部４０には補助扉４３が取り付けられる（図１１参照）。
【００６８】
補助扉４３の背面側には、左右に離隔して４つの被支持リブ４３ａ、４３ａ、・・・が設けられ、外側に位置する２つの被支持リブ４３ａ、４３ａにそれぞれ第１の被支持孔４３ｂ、４３ｂが形成され、内側に位置する２つの被支持リブ４３ａ、４３ａにそれぞれ第２の被支持孔４３ｃ、４３ｃが形成されている。外側に位置する第２の被支持孔４３ｃ、４３ｃは、内側に位置する第１の被支持孔４３ｂ、４３ｂより径が僅かに大きくされている（図１２参照）。
【００６９】
補助扉４３は扉支持体４４、４４を介して支持ブラケット３０に取り付けられている。扉支持体４４は、例えば、板状の樹脂材料によって形成され、左右に長い基部４５と、該基部４５の長手方向における両端寄りの位置から直交する方向へ突出された支持片部４６、４６と、基部４５の中央部から後方へ突出された被取付部４７とから成る。支持片部４６、４６にはそれぞれ互いに反対側へ突出された支持ピン４６ａ、４６ａが設けられている。
【００７０】
扉支持体４４、４４は、それぞれ左右に離隔した状態で、被取付部４７、４７が取付孔４０ａ、４０ａに挿入されて、例えば、接着等により支持ブラケット３０に固定される。扉支持体４４、４４は、それぞれ被支持リブ４３ａ、４３ａ、・・・間に位置された状態で、支持ピン４６ａ、４６ａ、・・・がそれぞれ第１の被支持孔４３ｂ、４３ｂ及び第２の被支持孔４３ｃ、４３ｃに挿入されて補助扉４３を回動自在に支持する。
【００７１】
補助扉４３は、後述するように、連結リンク５０の動作に伴って移動され、回動扉２１が開放された状態において、挿入口６ａを閉塞する。
【００７２】
上記のように、補助扉４３は左右に離隔し独立した２つの扉支持体４４、４４に支持されている。従って、図８に示すように、補助扉４３に上下に延びる軸Ｈを基準とした反りが生じたとしても、生じた反りに追従して補助扉４３が開口パネル６の背面に密着され挿入口６ａの良好な閉塞性を保持することによる筐体２内への塵埃等の侵入の防止を図ることができる。
【００７３】
また、補助扉４３は２つの扉支持体４４、４４の左右に離隔して位置する合計４つの支持ピン４６ａ、４６ａ、・・・によって支持された状態で押付バネ４２のバネ力により開口パネル６の背面に押し付けられるため、開口パネル６に対する密着性が高く、挿入口６ａの閉塞性を向上することができる。
【００７４】
さらに、補助扉４３は、第２の被支持孔４３ｃ、４３ｃの径が第１の被支持孔４３ｂ、４３ｂの径より大きくされているため、第２の被支持孔４３ｃ、４３ｃと扉支持体４４、４４の支持ピン４６ａ、４６ａ、・・・との間に一定のクリアランスが生じ（図１２参照）、このクリアランス分だけ扉支持体４４、４４が補助扉４３に対して変位可能であり、補助扉４３に生じ得るねじれや反りを吸収して補助扉４３を開口パネル６の背面に密着させることができる。
【００７５】
加えて、扉支持体４４、４４は板状の樹脂材料によって形成され、弾性変形し易い材料によって弾性変形しやすい形状に形成されているため、補助扉４３に生じ得るねじれや反りに追従して変形可能であり、補助扉４３の開口パネル６に対する密着性を向上させることができる。
【００７６】
以下に、記録媒体ドライブ装置１における動作について説明する（図１３乃至図１７参照）。
【００７７】
先ず、挿入口６ａに記録媒体カートリッジ１００が挿入される前の初期状態について説明する（図１３参照）。記録媒体カートリッジ１００は扁平なケース体１０１内に記録媒体２００が回転可能に収納されて成る。ケース体１０１の下面には、図示しないシャッターが開閉自在に支持されている。
【００７８】
挿入口６ａに記録媒体カートリッジ１００が挿入される前の初期状態においては、ラックスライダー１２、１２は移動範囲における前方側の移動端に位置されている。従って、ラックスライダー１２、１２に取り付けられているスライドカム１４も前方側の移動端に位置され、カム部１５、１５は支持アーム２７の前方に位置されている。カム部１５、１５はそれぞれ支持ベース１６のカム摺接面１８ａ、１８ａと回動アーム２８、２８の当接突部３４ｂ、３４ｂとの間で両者に接触された状態で位置され、回動アーム２８、２８の回動動作がカム部１５、１５によって規制されている。このとき補助扉４３はケースシャーシ３の内部に設けられた載置面部３ａ上に載置されて挿入口６ａから退避された退避位置にある。
【００７９】
ホルダー１１は被案内軸部１１ａ、１１ａ、・・・がそれぞれフレームシャーシ７の案内孔１０、１０、・・・の水平部１０ａ、１０ａ、・・・における前端部に係合されると共にラックスライダー１２、１２のカム孔１３、１３、・・・の上側保持部１３ａ、１３ａ、・・・に係合され、上方側かつ前方側の移動端である第１の位置に保持されている。
【００８０】
回動扉２１は捩じりコイルバネ２６、２６の付勢力によって開口パネル６の背面に押し付けられて閉塞位置に保持され、挿入口６ａが閉塞されている。
【００８１】
連結リンク５０は、それぞれ回動アーム２８、２８の当接突部３４ｂ、３４ｂがスライドカム１４のカム部１５、１５と接触されており、略上方側への回動が規制されて下方側の移動端に位置されている。
【００８２】
支持アーム２７、２７はベース部３１、３１の当接面３１ｃ、３１ｃが、それぞれ支持ベース１６のカム摺接面１８ａ、１８ａに接触された状態で保持されている。
【００８３】
回動アーム２８、２８は保持バネ３６、３６によってストッパー部３５ｂ、３５ｂが、それぞれ支持アーム２７、２７のストッパー面３３ｂ、３３ｂに押し付けられ、支持アーム２７、２７に対して所定の位置に保持されている。
【００８４】
アームスライダー２９、２９は連結バネ３９、３９によって規制用突部３７ｂ、３７ｂが、それぞれ支持アーム２７、２７の規制突部３３ｃ、３３ｃに押し付けられ、支持アーム２７、２７に対して所定の位置に保持されている。
【００８５】
支持ブラケット３０は押付バネ４２、４２によって段差部４１ａ、４１ａが、それぞれ回動アーム２８、２８のストッパー突部３４ａ、３４ａに押し付けられ、回動アーム２８、２８に対して所定の位置に保持されている。
【００８６】
上記した初期状態において、記録媒体カートリッジ１００が挿入口６ａから挿入されると、記録媒体カートリッジ１００によって回動扉２１が捩じりコイルバネ２６、２６の付勢力に抗して回動され、ケース体１０１の上面が回動扉２１の下縁と摺接しながら筐体２の内部へ挿入されていく。
【００８７】
筐体２の内部へ挿入された記録媒体カートリッジ１００はホルダー１１内に挿入され、該ホルダー１１に保持される（図１４参照）。
【００８８】
記録媒体カートリッジ１００がホルダー１１に挿入されたときには、筐体２内に配置された図示しない検出スイッチが記録媒体カートリッジ１００に押圧されて操作され、移動機構を動作させるための駆動モーターが所定の一方向へ回転される。このとき記録媒体カートリッジ１００は筐体２内に設けられた図示しないシャッター開閉機構によってケース体１０１に支持されたシャッターが開放される。
【００８９】
記録媒体カートリッジ１００がホルダー１１に保持された状態においては、回動扉２１の下縁が捩じりコイルバネ２６、２６の付勢力によってケース体１０１の上面に接触され回動扉２１が挿入口６ａを開放する第１の開放位置に至る（図１４参照）。
【００９０】
駆動モーターが回転されると、移動機構が動作されてラックスライダー１２、１２が後方へ移動され該ラックスライダー１２、１２の移動に伴ってスライドカム１４が後方へ移動されていく（図１５参照）。ラックスライダー１２、１２の後方への移動時には、ホルダー１１の被案内軸部１１ａ、１１ａ、・・・はそれぞれカム孔１３、１３、・・・の上側保持部１３ａ、１３ａ、・・・に係合された状態でフレームシャーシ７の案内孔１０、１０、・・・の水平部１０ａ、１０ａ、・・・内を移動される。従って、記録媒体カートリッジ１００を保持したホルダー１１が後方へ移動される。
【００９１】
このときスライドカム１４の後方への移動により、スライドカム１４のカム部１５、１５はそれぞれ回動アーム２８、２８の当接突部３４ｂ、３４ｂから外れ、支持アーム２７、２７の傾斜カム面３１ｂ、３１ｂと摺接される。カム部１５、１５が傾斜カム面３１ｂ、３１ｂと摺接されることにより、連結リンク５０が回動され、補助扉４３が略上方へ移動される。連結リンク５０が回動され補助扉４３が上方へ移動されると、図１５及び図１６に示すように、回動アーム２８、２８の突き当て突部３４ｃ、３４ｃがそれぞれ支持ベース１６の規制部１８ｂ、１８ｂに接し、それ以上の回動アーム２８、２８の回動が規制される。
【００９２】
補助扉４３が上方へ移動され上方側の移動端に達する直前には、支持ブラケット３０の摺動片部４０ｂ、４０ｂがそれぞれ支持ベース１６の作用リブ１７ａ、１７ａに摺接される（図１６参照）。従って、支持ブラケット３０は押付バネ４２、４２の付勢力に抗してアームスライダー２９、２９に対して図１６に示すＲ１方向へ回動され、補助扉４３が略前方へ僅かに移動され開口パネル６の背面に当接され挿入口６ａが閉塞される。支持ブラケット３０の段差部４１ａ、４１ａはそれぞれ回動アーム２８、２８のストッパー突部３４ａ、３４ａから僅かに前方へ離隔される。
【００９３】
駆動モーターが引き続き回転されると、ラックスライダー１２、１２及びスライドカム１４が後方側の移動端までさらに後方へ移動されていく（図１７参照）。ラックスライダー１２、１２の後方への移動時には、ホルダー１１の被案内軸部１１ａ、１１ａ、・・・はそれぞれカム孔１３、１３、・・・の上側保持部１３ａ、１３ａ、・・・から傾斜部１３ｂ、１３ｂ、・・・を経て下側保持部１３ｃ、１３ｃ、・・・までフレームシャーシ７の案内孔１０、１０、・・・の垂直部１０ｂ、１０ｂ、・・・内を移動される。従って、記録媒体カートリッジ１００を保持したホルダー１１が下方へ移動され下方側及び後方側の移動端である第２の位置に保持される。
【００９４】
ホルダー１１の下方への移動に伴って記録媒体カートリッジ１００も下方へ移動される。記録媒体カートリッジ１００が下方へ移動された分だけ回動扉２１が捩じりコイルバネ２６、２６のバネ力によって閉塞位置へ向けて回動されるが、回動扉２１は依然としてケース体１０１の上面に接触されており、挿入口６ａは回動扉２１によっては閉塞されない。回動扉２１のこの位置が挿入口６ａを開放した第２の開放位置である。
【００９５】
ホルダー１１の下方への移動に伴って記録媒体カートリッジ１００が下方へ移動され、シャッターが開放されたケース体１０１内に図示しないディスクテーブルが相対的に挿入され、該ディスクテーブルに記録媒体２００が装着される。
【００９６】
スライドカム１４の後方への移動により、スライドカム１４のカム部１５、１５が支持アーム２７、２７の傾斜カム面３１ｂ、３１ｂとさらに摺接される。このとき、上記したように、回動アーム２８、２８の回動が支持ベース１６の規制部１８ｂ、１８ｂによって規制されているため、カム部１５、１５が傾斜カム面３１ｂ、３１ｂと摺接されることにより、支持アーム２７、２７が回動アーム２８、２８に対して保持バネ３６、３６の付勢力に抗して回動される。
【００９７】
支持アーム２７、２７が回動アーム２８、２８に対して回動されると、連結バネ３９、３９を介してアームスライダー２９、２９が略前方へ押圧され、該アームスライダー２９、２９が回動アーム２８、２８に対してスライドされる。従って、補助扉４３が支持ブラケット３０を介して前方へ移動され、開口パネル６の背面に押し付けられて閉じ位置に保持される。
【００９８】
支持アーム２７、２７が回動アーム２８、２８に対して回動されアームスライダー２９、２９が回動アーム２８、２８に対してスライドされたときには、回動アーム２８、２８のストッパー部３５ｂ、３５ｂがそれぞれ支持アーム２７、２７のストッパー面３３ｂ、３３ｂから僅かに離隔され、アームスライダー２９、２９の規制用突部３７ｂ、３７ｂがそれぞれ支持アーム２７、２７の規制突部３３ｃ、３３ｃから僅かに離隔される。
【００９９】
上記のように、挿入口６ａが補助扉４３によって閉塞されたときには、補助扉４３が支持アーム２７、２７の回動動作によって開口パネル６の背面に押し付けられるため、開口パネル６に対する補助扉４３の密着性の向上による挿入口６ａの高い閉塞性を確保することができる。
【０１００】
また、補助扉４３は支持アーム２７、２７と回動アーム２８、２８との間に介在された連結バネ３９、３９を介して開口パネル６の背面に押し付けられるため、開口パネル６に対して補助扉４３に必要以上に負荷がかかることがなく開口パネル６及び補助扉４３の損傷や破壊を防止することができる。
【０１０１】
上記のように記録媒体２００がディスクテーブルに装着されると、該ディスクテーブルの回転に伴って記録媒体２００が回転されると共に記録再生部として機能する図示しない光ピックアップの駆動により記録媒体２００に対する情報信号の記録又は再生が行われる。
【０１０２】
記録媒体カートリッジ１００の挿入口６ａからの排出は、上記とは逆の動作により行われる。即ち、駆動モーターが上記とは反対方向へ回転され、ラックスライダー１２、１２が前方へ移動されることによりスライドカム１４が一体となって前方へ移動され、連結リンク５０が上記とは逆方向へ移動されて補助扉４３が下方へ移動され、ホルダー１１が上方へ移動された後に前方へ移動され記録媒体カートリッジ１００の一部が挿入口６ａから外部へ突出される。
【０１０３】
ホルダー１１が前方へ移動されるときにはケース体１０１に支持されたシャッターがシャッター開閉機構によって閉塞される。
【０１０４】
外部へ突出された記録媒体カートリッジ１００の一部を把持して引き抜くことにより記録媒体カートリッジ１００を記録媒体ドライブ装置１から取り出すことができる。記録媒体カートリッジ１００を取り出すと、捩じりコイルバネ２６、２６の付勢力によって回動扉２１が回動され、該回動扉２１によって挿入口６ａが閉塞される。
【０１０５】
以上に記載した通り、記録媒体ドライブ装置１にあっては、回動扉２１が開放位置に保持された状態において補助扉４３によって挿入口６ａが閉塞されるため、記録媒体カートリッジ１００が筐体２に挿入されたときに該筐体２の内部に回動扉２１を閉塞位置まで回動させるためのスペースを必要とせず、記録媒体ドライブ装置１の小型化を確保した上で挿入口６ａからの塵埃の侵入を防止することができる。
【０１０６】
また、補助扉４３を開閉するための扉開閉機構６０がホルダー１１を第１の位置と第２の位置との間で移動させるための移動機構の動作に伴って動作されるため、扉開閉機構６０を動作させるための専用のモーター等を必要とせず、機構の簡素化及び部品点数の削減によるコストの低減を図ることができる。
【０１０７】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０８】
【図１】図２乃至図１７と共に本発明を実施するための最良の形態を示すものであり、本図は記録媒体ドライブ装置の概略斜視図である。
【図２】記録媒体ドライブ装置の内部構成を示す概略斜視図である。
【図３】記録媒体ドライブ装置の内部構成を示す概略側面図である。
【図４】記録媒体ドライブ装置の内部構成を示す分解斜視図である。
【図５】支持ベースの拡大斜視図である。
【図６】回動扉の支持構造を示す拡大斜視図である。
【図７】回動扉と扉支持アームとの関係を一部を断面にして示す拡大側面図である。
【図８】回動扉（補助扉）に反りが生じた状態を示す概念図である。
【図９】連結リンクの分解斜視図である。
【図１０】連結リンクの拡大斜視図である。
【図１１】補助扉の支持構造を示す拡大斜視図である。
【図１２】補助扉と扉支持体との関係を一部を断面にして示す拡大側面図である。
【図１３】図１４乃至図１７と共に記録媒体ドライブ装置の動作を示すものであり、本図は初期状態を示す概略側面図である。
【図１４】図１３に引き続き記録媒体カートリッジが挿入口から挿入されている状態を示す概略側面図である。
【図１５】図１４に引き続きスライドカムが後方へ移動されホルダーが後方へ移動された状態を示す概略側面図である。
【図１６】支持ブラケットの摺動片部が支持ベースの作用リブに摺接している状態を示す拡大側面図である。
【図１７】図１５に引き続きスライドカムが後方へ移動されホルダーが下方へ移動された状態を示す概略側面図である。
【図１８】従来の問題点を示す概念図である。
【図１９】従来の別の問題点を示す概念図である。
【符号の説明】
【０１０９】
１…記録媒体ドライブ装置、２…筐体、６ａ…挿入口、７…フレームシャーシ、１１…ホルダー、１４…スライドカム、１５…カム部、１６…支持ベース、１８ｂ…規制部、２１…回動扉、２２…扉支持アーム、２４ａ…回動軸部、２５ａ…支持軸部、２７…支持アーム、２８…回動アーム、２９…アームスライダー、３０…支持ブラケット、３９…連結バネ、４３…補助扉、４４…扉支持体、４６ａ…支持ピン、４７…被取付部、５０…連結リンク、６０…扉開閉機構、１００…記録媒体カートリッジ、１０１…ケース体、２００…記録媒体
【図１】
2006236507.tif 000003
【図２】
2006236507.tif 000004
【図３】
2006236507.tif 000005
【図４】
2006236507.tif 000006
【図５】
2006236507.tif 000007
【図６】
2006236507.tif 000008
【図７】
2006236507.tif 000009
【図８】
2006236507.tif 000010
【図９】
2006236507.tif 000011
【図１０】
2006236507.tif 000012
【図１１】
2006236507.tif 000013
【図１２】
2006236507.tif 000014
【図１３】
2006236507.tif 000015
【図１４】
2006236507.tif 000016
【図１５】
2006236507.tif 000017
【図１６】
2006236507.tif 000018
【図１７】
2006236507.tif 000019
【図１８】
2006236507.tif 000020
【図１９】
2006236507.tif 000021